(57)【要約】      （修正有）【課題】所定の方向に順次折り返しながら情報を見ることができると共に折り返すという作業自体に面白みがあり、ダイレクトメールとして好適な情報提示具を作るための情報提示具形成シートと、それから作られる展開式情報提示具を提供する。【解決手段】文字や図柄等の任意の情報が表された矩形のシート材から成り、所定の位置で折り畳んだ後に所定の方向に順次折り返しながら情報を見ることができる情報提示具を作るための情報提示具形成シートにおいて、シート材は、その短辺の中心同士を結ぶ中心線の両側で所定間隔離れた位置に該中心線と平行な谷折り線及び山折り線を有し、該谷折り線及び山折り線に沿って中心線の両側部分を折り込むことで、山折り線に沿ってできた縁部同士が互いに当接し、短辺の長さより小さい幅の折り重ねシートを形成し、該折り重ねシートをその長辺の中央位置で二つ折りすることで情報提示具を形成する。【選択図】図２
2005138444.tif 000002
【特許請求の範囲】
【請求項１】
文字や図柄等の任意の情報が表された矩形のシート材（２，３２）から成り、所定の位置で折り畳んだ後に所定の方向に順次折り返しながら前記情報を見ることができる情報提示具（２０，５０）を作るための情報提示具形成シート（１，３１）であって、
前記シート材（２，３２）は、縦幅の略半分の長さの切り込み（３，３３）が中央で縦に設けられ、横幅の略半分の長さの２つの切り込み（４ａ，４ｂ，３４ａ，３４ｂ）が前記縦に設けられた切り込み（３，３３）の両端にそれぞれ交わって水平に設けられており、当該水平に設けられた２つの切り込み（４ａ，４ｂ，３４ａ，３４ｂ）のそれぞれ左右両側部分を当該切り込み（４ａ，４ｂ，３４ａ，３４ｂ）に沿ってそれぞれ山折りし、前記水平に設けられた２つの切り込み（４ａ，４ｂ，３４ａ，３４ｂ）のうち上側の切り込み（４ａ，３４ａ）に沿って山折りされてできた縁部（１８ａ）と下側の切り込み（４ｂ，３４ｂ）に沿って山折りされてできた縁部（１８ｂ）とが互いに当接するように前記縦に設けられた切り込み（３，３３）に直交する方向に沿って２箇所で谷折りし、前記縁部（１８ａ，１８ｂ）が外側に見えるように縦中心線に沿って折り畳むことにより前記情報提示具（２０，５０）を形成することを特徴とする情報提示具形成シート。
【請求項２】
請求項１記載の情報提示具形成シート（１，３１）において、前記シート材（２，３２）は、前記縦に設けられた切り込み（３，３３）の上下両側部分を当該切り込みに沿って山折りできるように折り目（１１，４１）が付けられており、前記水平に設けられた２つの切り込み（４ａ，４ｂ，３４ａ，３４ｂ）のうち上側の切り込み（４ａ，３４ａ）の両端部から上の部分と下側の切り込み（４ｂ，３４ｂ）の両端部から下の部分とをそれぞれ前記折り目（１１，４１）と平行な方向に沿って谷折りできるように折り目（１２，４２）が付けられていることを特徴とする情報提示具形成シート。
【請求項３】
請求項１又は２記載の情報提示具形成シート（１，３１）において、前記シート材（２，３２）は、外周縁に沿って点線状の穴の列（５，３５）又は索状の溝が設けられており、前記縦中心線に沿って折り畳まれたときに前記点線状の穴の列（５，３５）又は前記索状の溝より外側の部分が重なり合う位置（１９ａ，１９ｂ，１９ｃ）で接着されていることを特徴とする情報提示具形成シート。
【請求項４】
請求項１乃至３のいずれか記載の情報提示具形成シート（１，３１）において、前記シート材（２，３２）は、前記縦中心線に沿って折り畳まれたときに重なり合う部分が剥離可能に圧着されていることを特徴とする情報提示具形成シート。
【請求項５】
請求項１乃至４のいずれか記載の情報提示具形成シート（１，３１）において、前記シート材（２）は、左右両側の中央部分（７ａ，７ｂ）が前記点線状の穴の列（５）又は前記索状の溝に沿って前記縦に設けられた切り込み（３）と同じ長さ切り取られていることを特徴とする情報提示具形成シート。
【請求項６】
請求項１乃至５のいずれか記載の情報提示具形成シート（１，３１）において、前記シート材（２，３２）は、縦幅が葉書の幅の２倍あり、横幅が葉書の長さの２倍あり、前記縦中心線に沿って折り畳むことによって葉書と同じ大きさになることを特徴とする情報提示具形成シート。
【請求項７】
文字や図柄等の任意の情報が表された矩形のシート材（６２）から成り、所定の位置で折り畳んだ後に所定の方向に順次折り返しながら前記情報を見ることができる情報提示具（８０）を作るための情報提示具形成シート（６１）であって、
前記シート材（６２）は、その短辺（６３）の中心同士を結ぶ中心線（６６）の両側で該中心線（６６）から所定間隔離れた位置に、該中心線（６６）と平行な谷折り線（６７ａ，６７ｂ）及び山折り線（６８ａ，６８ｂ）を有し、前記中心線（６６）の両側部分を該谷折り線（６７ａ，６７ｂ）及び山折り線（６８ａ，６８ｂ）に沿って折り込むことで、当該山折り線（６８ａ，６８ｂ）に沿って折り込まれてできた縁部（７２ａ，７２ｂ）同士が互いに当接し、前記短辺（６３）の長さより小さい幅の折り重ねシート（７４）を形成し、該折り重ねシート（７４）をその長辺の中央位置で二つ折りすることで、所定の大きさの情報提示具（８０）を形成することを特徴とする情報提示具形成シート。
【請求項８】
請求項７記載の情報提示具形成シート（６１）において、前記シート材（６２）は、その外周縁に沿って点線状の穴の列（６５）又は索状の溝が設けられ、前記中央位置で二つ折りしたときに前記点線状の穴の列（６５）又は前記索状の溝より外側の部分が重なり合う位置（８１ａ，８１ｂ，８１ｃ）で接着されることを特徴とする情報提示具形成シート。
【請求項９】
請求項６又は７記載の情報提示具形成シート（６１）において、前記シート材（６２）は、その短辺（６３）が葉書の短辺の２倍の長さで、その長辺（６４）が葉書の長辺の２倍の長さであり、前記中央位置で二つ折りすることで葉書と同じ大きさになることを特徴とする情報提示具形成シート。
【請求項１０】
文字や図柄等の情報が表され、所定の位置で折り畳まれた矩形のシート材（２，３２）から成り、所定の方向に順次折り返しながら前記情報を見ることができる展開式情報提示具（２０，５０）であって、
前記シート材（２，３２）は、縦幅の略半分の長さの切り込み（３，３３）が中央で縦に設けられ、横幅の略半分の長さの２つの切り込み（４ａ，４ｂ，３４ａ，３４ｂ）が前記縦に設けられた切り込み（３，３３）の両端にそれぞれ交わって水平に設けられ、当該水平に設けられた２つの切り込み（４ａ，４ｂ，３４ａ，３４ｂ）のそれぞれ左右両側部分が当該切り込み（４ａ，４ｂ，３４ａ，３４ｂ）に沿ってそれぞれ山折りされ、前記水平に設けられた２つの切り込み（４ａ，４ｂ，３４ａ，３４ｂ）のうち上側の切り込み（４ａ，３４ａ）に沿って山折りされてできた縁部（１８ａ）と下側の切り込み（４ｂ，３４ｂ）に沿って山折りされてできた縁部（１８ｂ）とが互いに当接するように前記縦に設けられた切り込み（３，３３）に直交する方向に沿って２箇所で谷折りされた後、前記縁部（１８ａ，１８ｂ）が外側に見えるように縦中心線に沿って折り畳まれていることを特徴とする展開式情報提示具。
【請求項１１】
請求項１０記載の展開式情報提示具（２０，５０）において、前記シート材（２，３２）は、前記縦に設けられた切り込み（３，３３）の上下両側部分を当該切り込み（３，３３）に沿って山折りできるように折り目（１１，４１）が付けられており、前記水平に設けられた２つの切り込み（４ａ，４ｂ，３４ａ，３４ｂ）のうち上側の切り込み（４ａ，３４ａ）の両端部から上の部分と下側の切り込み（４ｂ，３４ｂ）の両端部から下の部分とをそれぞれ前記折り目（１１，４１）と平行な方向に沿って谷折りできるように折り目（１２，４２）が付けられていることを特徴とする展開式情報提示具。
【請求項１２】
請求項１０又は１１記載の展開式情報提示具（２０，５０）において、前記シート材（２，３２）は、外周縁に沿って点線状の穴の列（５，３５）又は索状の溝が設けられ、前記縦中心線に沿って折り畳まれたときに前記点線状の穴の列（５，３５）又は前記索状の溝より外側の部分が重なり合う位置（１９ａ，１９ｂ，１９ｃ）で接着されていることを特徴とする展開式情報提示具。
【請求項１３】
請求項１０乃至１２のいずれか記載の展開式情報提示具（２０，５０）において、前記シート材（２，３２）は、前記縦中心線に沿って折り畳まれたときに重なり合う部分が剥離可能に圧着されていることを特徴とする展開式情報提示具。
【請求項１４】
請求項１０乃至１３のいずれか記載の展開式情報提示具（２０，５０）において、前記シート材（２）は、左右両側の中央部分（７ａ，７ｂ）が前記点線状の穴の列（５）又は前記索状の溝に沿って前記縦に設けられた切り込み（３）と同じ長さ切り取られていることを特徴とする展開式情報提示具。
【請求項１５】
請求項１０乃至１４のいずれか記載の展開式情報提示具（２０，５０）において、前記シート材（２，３２）は、縦幅が葉書の幅の２倍あり、横幅が葉書の長さの２倍あり、前記縦中心線に沿って折り畳まれることによって葉書と同じ大きさになることを特徴とする展開式情報提示具。
【請求項１６】
文字や図柄等の情報が表され、所定の位置で折り畳まれた矩形のシート材（６２）から成り、所定の方向に順次折り返しながら前記情報を見ることができる展開式情報提示具（８０）であって、
前記シート材（６２）は、その短辺（６３）の中心同士を結ぶ中心線（６６）の両側で該中心線（６６）から所定間隔離れた位置に、該中心線（６６）と平行な谷折り線（６７ａ，６７ｂ）及び山折り線（６８ａ，６８ｂ）を有し、前記中心線（６６）の両側部分が該谷折り線（６７ａ，６７ｂ）及び山折り線（６８ａ，６８ｂ）に沿って折り込まれることにより、当該山折り線（６８ａ，６８ｂ）に沿って折り込まれてできた縁部（７２ａ，７２ｂ）同士が互いに当接し、前記短辺（６３）の長さより小さい幅の折り重ねシート（７４）が形成され、該折り重ねシート（７４）がその長辺の中央位置で二つ折りされていることを特徴とする展開式情報提示具。
【請求項１７】
請求項１６記載の展開式情報提示具（８０）において、前記シート材（６２）は、その外周縁に沿って点線状の穴の列（６５）又は索状の溝が設けられ、前記中央位置で二つ折りしたときに前記点線状の穴の列（６５）又は前記索状の溝より外側の部分が重なり合う位置（８１ａ，８１ｂ，８１ｃ）で接着されていることを特徴とする展開式情報提示具。
【請求項１８】
請求項１６または１７記載の展開式情報提示具（８０）において、前記シート材（６２）は、その短辺（６３）が葉書の短辺の２倍の長さで、その長辺（６４）が葉書の長辺の２倍の長さであり、前記中央位置で二つ折りされることで葉書と同じ大きさになることを特徴とする展開式情報提示具。
【発明の詳細な説明】
【技術分野】
【０００１】
本発明は、所定の方向に順次折り返しながら情報を見ることができると共に、折り返すという作業自体に面白みのある情報提示具を作るための情報提示具形成シートと、それから作られる展開式情報提示具に関する。
【背景技術】
【０００２】
比較的少ない費用で多くの人に製品やサービスを宣伝するための手段として、ダイレクトメールが利用されている。ダイレクトメールは、消費者個人宛に郵送される製品広告等であり、封筒に製品広告等が封入されたもの、又は折畳んで圧着した葉書の内側の面に製品広告が記載されたもの等が用いられている。
【０００３】
しかしながら、ダイレクトメールは、製品広告を人に見てもらうためには、まず、受け取った人に開封してもらう必要がある。また、ダイレクトメールを受け取っても、開封しないで破棄する人もいる。従って、広告、宣伝用のダイレクトメールは、これを受け取った人の購買欲を刺激するという広告本来の目的を達成する前に、受け取った人に開封させるという目的も達成しなければならない。
【０００４】
下記特許文献には、外から見える形状を名宛人が商品のイメージを認識し易い形状にしたダイレクトメールが記載されている。
【０００５】
【特許文献１】特開２００３−２３７７９０号公報
【発明の開示】
【発明が解決しようとする課題】
【０００６】
上記特許文献に記載されているダイレクトメールは、透明な封筒の中にある商品の包装を、ダイレクトメールの封筒を開けることなく視認することができるため、名宛人が外から商品の包装を見ることによりその商品のイメージを認識することができるようになっているが、透明な封筒は、ダイレクトメールに限らず利用されているものであり、封入物が外から見えるだけでは、必ずしも受取人の多くがこれを開封するとはいえない。そうすると、ダイレクトメールには、例えば、受け取った人が積極的に開封するようにする工夫が必要である。
【０００７】
本発明の目的は、所定の方向に順次折り返しながら情報を見ることができると共に折り返すという作業自体に面白みがあり、ダイレクトメールとして好適な情報提示具を作るための情報提示具形成シートと、それから作られる展開式情報提示具を提供することである。
【課題を解決するための手段】
【０００８】
本発明の情報提示具形成シートは、文字や図柄等の任意の情報が表された矩形のシート材から成り、所定の位置で折り畳んだ後に所定の方向に順次折り返しながら前記情報を見ることができる情報提示具を作るための情報提示具形成シートであって、前記シート材は、縦幅の略半分の長さの切り込みが中央で縦に設けられ、横幅の略半分の長さの２つの切り込みが前記縦に設けられた切り込みの両端にそれぞれ交わって水平に設けられており、当該水平に設けられた２つの切り込みのそれぞれ左右両側部分を当該切り込みに沿ってそれぞれ山折りし、前記水平に設けられた２つの切り込みのうち上側の切り込みに沿って山折りされてできた縁部と下側の切り込みに沿って山折りされてできた縁部とが互いに当接するように前記縦に設けられた切り込みに直交する方向に沿って２箇所で谷折りし、前記縁部が外側に見えるように縦中心線に沿って折り畳むことにより前記情報提示具を形成することを特徴とする。
【０００９】
本発明の具体的態様では、前記シート材は、前記縦に設けられた切り込みの上下両側部分を当該切り込みに沿って山折りできるように折り目が付けられており、前記水平に設けられた２つの切り込みのうち上側の切り込みの両端部から上の部分と下側の切り込みの両端部から下の部分とをそれぞれ前記折り目と平行な方向に沿って谷折りできるように折り目が付けられている。
【００１０】
本発明の具体的態様では、前記シート材は、外周縁に沿って点線状の穴の列（例えば、後述のミシン目５など）又は索状の溝が設けられており、前記縦中心線に沿って折り畳まれたときに前記点線状の穴の列又は前記索状の溝より外側の部分が重なり合う位置で接着されている。
【００１１】
また、前記シート材は、前記縦中心線に沿って折り畳まれたときに重なり合う部分が剥離可能に圧着されていることを特徴とする。
【００１２】
本発明の具体的態様では、前記シート材は、左右両側の中央部分が前記点線状の穴の列又は前記索状の溝に沿って前記縦に設けられた切り込みと同じ長さ切り取られている。
【００１３】
本発明の具体的態様では、前記シート材は、縦幅が葉書の幅の２倍あり、横幅が葉書の長さの２倍あり、前記縦中心線に沿って折り畳むことによって葉書と同じ大きさになることを特徴とする。
【００１４】
本発明の別態様の情報提示具形成シートは、文字や図柄等の任意の情報が表された矩形のシート材から成り、所定の位置で折り畳んだ後に所定の方向に順次折り返しながら前記情報を見ることができる情報提示具を作るための情報提示具形成シートであって、前記シート材は、その短辺の中心同士を結ぶ中心線の両側で該中心線から所定間隔離れた位置に、該中心線と平行な谷折り線及び山折り線を有し、前記中心線の両側部分を該谷折り線及び山折り線に沿って折り込むことで、当該山折り線に沿って折り込まれてできた縁部同士が互いに当接し、前記短辺の長さより小さい幅の折り重ねシートを形成し、該折り重ねシートをその長辺の中央位置で二つ折りすることで、所定の大きさの情報提示具を形成することを特徴とする。
【００１５】
本発明の具体的態様では、前記シート材は、その外周縁に沿って点線状の穴の列（例えば、後述のミシン目６５）又は索状の溝が設けられ、前記中央位置で二つ折りしたときに前記点線状の穴の列又は前記索状の溝より外側の部分が重なり合う位置で接着される。
【００１６】
本発明の具体的態様では、前記シート材は、その短辺が葉書の短辺の２倍の長さで、その長辺が葉書の長辺の２倍の長さであり、前記中央位置で二つ折りすることで葉書と同じ大きさになる。
【００１７】
本発明の展開式情報提示具は、文字や図柄等の情報が表され、所定の位置で折り畳まれた矩形のシート材から成り、所定の方向に順次折り返しながら前記情報を見ることができる情報提示具であって、前記シート材は、縦幅の略半分の長さの切り込みが中央で縦に設けられ、横幅の略半分の長さの２つの切り込みが前記縦に設けられた切り込みの両端にそれぞれ交わって水平に設けられ、当該水平に設けられた２つの切り込みのそれぞれ左右両側部分が当該切り込みに沿ってそれぞれ山折りされ、前記水平に設けられた２つの切り込みのうち上側の切り込みに沿って山折りされてできた縁部と下側の切り込みに沿って山折りされてできた縁部とが互いに当接するように前記縦に設けられた切り込みに直交する方向に沿って２箇所で谷折りされた後、前記縁部が外側に見えるように縦中心線に沿って折り畳まれていることを特徴とする。
【００１８】
本発明の具体的態様では、前記シート材は、前記縦に設けられた切り込みの上下両側部分を当該切り込みに沿って山折りできるように折り目が付けられており、前記水平に設けられた２つの切り込みのうち上側の切り込みの両端部から上の部分と下側の切り込みの両端部から下の部分とをそれぞれ前記折り目と平行な方向に沿って谷折りできるように折り目が付けられている。
【００１９】
また、前記シート材は、外周縁に沿って点線状の穴の列又は索状の溝が設けられ、前記縦中心線に沿って折り畳まれたときに前記点線状の穴の列又は前記索状の溝より外側の部分が重なり合う位置で接着されていることを特徴とする。
【００２０】
また、前記シート材は、前記縦中心線に沿って折り畳まれたときに重なり合う部分が剥離可能に圧着されていることを特徴とする。
【００２１】
本発明の具体的態様では、前記シート材は、左右両側の中央部分が前記点線状の穴の列又は前記索状の溝に沿って前記縦に設けられた切り込みと同じ長さ切り取られている。
【００２２】
また、前記シート材は、縦幅が葉書の幅の２倍あり、横幅が葉書の長さの２倍あり、前記縦中心線に沿って折り畳まれることによって葉書と同じ大きさになることを特徴とする。
【００２３】
本発明の別態様の展開式情報提示具は、文字や図柄等の情報が表され、所定の位置で折り畳まれた矩形のシート材から成り、所定の方向に順次折り返しながら前記情報を見ることができる展開式情報提示具であって、前記シート材は、その短辺の中心同士を結ぶ中心線の両側で該中心線から所定間隔離れた位置に、該中心線と平行な谷折り線及び山折り線を有し、前記中心線の両側部分が該谷折り線及び山折り線に沿って折り込まれることにより、当該山折り線に沿って折り込まれてできた縁部同士が互いに当接し、前記短辺の長さより小さい幅の折り重ねシートが形成され、該折り重ねシートがその長辺の中央位置で二つ折りされていることを特徴とする。
【００２４】
本発明の具体的態様では、前記シート材は、その外周縁に沿って点線状の穴の列（例えば、後述のミシン目６５）又は索状の溝が設けられ、前記中央位置で二つ折りしたときに前記点線状の穴の列又は前記索状の溝より外側の部分が重なり合う位置で接着されている。
【００２５】
本発明の具体的態様では、前記シート材は、その短辺が葉書の短辺の２倍の長さで、その長辺が葉書の長辺の２倍の長さであり、前記中央位置で二つ折りされることで葉書と同じ大きさになる。
【発明の効果】
【００２６】
本発明の情報提示具形成シートによれば、文字や図柄等の任意の情報が表された矩形のシート材を所定の位置で折り畳むことにより、ダイレクトメールのような情報提示具を作ることができる。この情報提示具は、所定の方向に順次折り返しながら前記情報を見ることができるため、例えば、ダイレクトメールの受取人に対し、開封する行為自体に興味や面白みを感じさせることができる。また、一般的な葉書と同じ郵送料で発送可能であるとともに、一般的な葉書よりも格段に多くの情報量を包含することが可能である。
【００２７】
また、シート材には、縦に設けられた切り込みの上下両側部分を当該切り込みに沿って山折りできるように折り目を付けておき、水平に設けられた２つの切り込みのうち上側の切り込みの両端部から上の部分と下側の切り込みの両端部から下の部分とをそれぞれ前記折り目と平行な方向に沿って谷折りできるように折り目を付けておくのがよい。これにより、情報提示具を作るときにシート材を所定の位置で容易に折ることができる。
【００２８】
また、シート材には、その外周縁に沿って点線状の穴の列又は索状の溝を設け、所定の方法で折り畳んだときに点線状の穴の列又は索状の溝より外側の部分が重なり合う位置で接着するのがよい。また、シート材を所定の位置で折り畳んだときに重なり合う部分を剥離可能に圧着するようにしてもよい。
【００２９】
また、シート材の左右両側の中央部分を、前記点線状の穴の列又は前記索状の溝に沿って、縦に設けられた切り込みと同じ長さ切り取っておくのがよい。
【００３０】
さらに、シート材の縦幅を葉書の幅の２倍、横幅を葉書の長さの２倍にするのがよい。これにより、シート材を所定の位置で折り畳むことによって葉書と同じ大きさの情報提示具を作ることができる。
【００３１】
本発明の別態様の情報提示具形成シートは、シート材に切り込みを設けずに構成することができる。この場合でも、前述と同様に所定の位置で折り畳むことにより、ダイレクトメールのような情報提示具を作ることができる。この情報提示具も、所定の方向に順次折り返しながら前記情報を見ることができるため、例えば、ダイレクトメールの受取人に対し、開封する行為自体に興味や面白みを感じさせることができる。
【００３２】
また、シート材の外周縁に沿って点線状の穴の列又は索状の溝を設け、折り重ねシートをその中央位置で二つ折りしたときに点線状の穴の列又は索状の溝より外側の部分が重なり合う位置を接着するのが好適である。
【００３３】
さらに、シート材の短辺が葉書の短辺の２倍の長さで、長辺が葉書の長辺の２倍の長さにするのがよく、この場合、折り重ねシートをその中央位置で二つ折りすることで葉書と同じ大きさにすることが可能である。
【００３４】
本発明の展開式情報提示具によれば、文字や図柄等の情報が表され、所定の位置で折り畳まれた矩形のシート材を所定の方向に順次折り返しながらその情報を見ることができるため、これをダイレクトメールとした場合、その受取人が、開封する行為自体に興味や面白みを感じることができる。
【００３５】
また、シート材には、縦に設けた切り込みの上下両側部分を当該切り込みに沿って山折りできるように折り目を付け、水平に設けた２つの切り込みのうち上側の切り込みの両端部から上の部分と下側の切り込みの両端部から下の部分とをそれぞれ前記折り目と平行な方向に沿って谷折りできるように折り目を付けておくのがよい。これにより、シート材を所定の方向に容易に折り返すことができる。
【００３６】
また、シート材には、その外周縁に沿って点線状の穴の列又は索状の溝を設け、所定の位置で折り畳んだときに点線状の穴の列又は索状の溝より外側の部分が重なり合う位置で接着するのがよい。また、シート材を所定の位置で折り畳んだときに重なり合う部分を剥離可能に圧着してもよい。
【００３７】
また、シート材の左右両側の中央部分を、点線状の穴の列又は索状の溝に沿って、縦に設けた切り込みと同じ長さ切り分、取っておくのがよい。
【００３８】
さらに、シート材の縦幅を葉書の幅の２倍、横幅を葉書の長さの２倍とするのが好適である。これにより、シート材を所定の位置で折り畳んだときに葉書と同じ大きさにすることができる。
【００３９】
本発明の別態様の展開式情報提示具によっても、文字や図柄等の情報が表され、所定の位置で折り畳まれた矩形のシート材を所定の方向に順次折り返しながらその情報を見ることができるため、これをダイレクトメールとした場合、その受取人が、開封する行為自体に興味や面白みを感じることができる。
【００４０】
また、シート材の外周縁に沿って点線状の穴の列又は索状の溝を設け、折り重ねシートをその中央位置で二つ折りしたときに点線状の穴の列又は索状の溝より外側の部分が重なり合う位置で接着するのが好適である。
【００４１】
さらに、シート材の短辺を葉書の短辺の２倍の長さで、長辺を葉書の長辺の２倍の長さとするのがよい。この場合、折り重ねシートをその中央位置で二つ折りすることで葉書と同じ大きさにすることが可能である。
【発明を実施するための最良の形態】
【００４２】
図１は、本発明の情報提示具形成シート１の一例を示す。この情報提示具形成シート１は、横幅が２９．７ｃｍで縦幅が２１ｃｍの横長のシート材（例えば、上質紙）２から成り、その縦幅の略半分の長さ（例えば、１０ｃｍ）の切り込み３を中央で縦に設け、横幅の略半分の長さ（例えば、１４．３５ｃｍ）の２つの切り込み４ａ，４ｂを前記縦に設けた切り込み３の両端にそれぞれ交わって水平に設けてある。具体的には、これらの切り込みは、シート材２を横から見たときにＨ字形を成すように設けられている。
【００４３】
また、シート材２には、外周縁に沿って点線状の穴の列（例えば、ミシン目）５が設けられている。具体的には、ミシン目５は、外周縁から所定の長さ（例えば、０．５ｃｍ）内側の位置に設けてある。さらに、シート材２の左右両縁部には、その中央部分７ａ，７ｂを、シート材２の外周縁に沿って設けたミシン目５に沿って、前記縦に設けた切り込み３と同じ長さ切り取ることができるように、所定の間隔（例えば、１０ｃｍ間隔）で水平なミシン目８ａ，８ｂが上下に設けられている。
【００４４】
ここで、シート材２の左右両側の中央部分７ａ，７ｂを、ミシン目５とミシン目８ａ，８ｂに沿って切り取っておく。
【００４５】
上記シート材２の文字や図柄等の情報を印刷した両面を、図２と図３に示す。図１の情報提示具形成シート１から作られる展開式情報提示具は、シート材２に印刷した情報の一部を順次見ることができるように構成されるため、シート材２に印刷する情報の配置に留意する。
【００４６】
まず、シート材２に印刷された種々の情報の配置を示すために、同時に提示すべき情報を同一の文字（例えば、Ａ〜Ｈ）で示した。また、シート材２上の情報の配置によって、情報を提示する順番が決定するため、情報を順序立てて提示する場合には、その情報をシート材２の所定の位置に配置するのがよい。具体的には、図に示した文字（例えば、アルファベットや数字）の順番（例えば、アルファベット順など）に従って、順序立てて情報を印刷するのがよい。即ち、第１実施例の情報提示具形成シート１では、シート材２に印刷された情報Ａ〜Ｈは、アルファベット順（ＡからＨの順番）に提示されることになる。また、図３に示すシート材２の一方の面には、中央上部と中央下部に表す情報Ｅ，Ｆを、上下を逆にするように印刷するのがよい。
【００４７】
次に、この情報提示具形成シート１から展開式情報提示具を作る方法を説明する。
【００４８】
まず、シート材２の情報Ａ〜Ｈが印刷してある側の面（図２）を表にした状態で、シート材２の所定の位置に折り目を付ける。具体的には、シート材２の中央で縦に設けた切り込み３の上下両側部分を当該切り込み３に沿って山折りできるように折り目１１を付け、水平に設けた２つの切り込み４ａ，４ｂのうち上側の切り込み４ａの両端部から上の部分と下側の切り込み４ｂの両端部から下の部分とをそれぞれ前記折り目１１と平行な方向に沿って谷折りできるように折り目１２を付ける。
【００４９】
また、シート材２に水平に設けた２つの切り込み４ａ，４ｂのそれぞれ左右両側部分を当該切り込み４ａ，４ｂに沿ってそれぞれ山折りできるように折り目１４を付けておく。さらに、水平に設けた２つの切り込み４ａ，４ｂのうち上側の切り込み４ａから両切り込み４ａ，４ｂの間の間隔の１／４の位置と下側の切り込み４ｂから当該間隔の１／４の位置でそれぞれ谷折りできるように折り目１６を付けておく。
【００５０】
上記のように、シート材２の所定の位置に折り目を付けた後、シート材２の一方の面（例えば、図３に示す面）において、シート材２の外周縁に沿って設けたミシン目５の外側の部分と、水平に設けた２つの切り込み４ａ，４ｂの左右両側に付けた折り目１４の上下に所定の範囲（例えば、上下に２．５ｃｍずつ）の部分とに接着剤を塗布しておく。この所定の範囲の部分は、展開式情報提示具を組み立てる上で、シート材２を折り目１４に沿って折り曲げたときに剥離しないように接着する部分なので、ここには情報を印刷しないようにする。
【００５１】
図４及び図５は、上記のように所定の位置に接着剤を塗布した後に、シート材２に付けた折り目１４，１６に沿って所定の方向に折り畳むときの状態を示す。具体的には、シート材２を、シート材２上で水平に設けた２つの切り込み４ａ，４ｂのそれぞれ左右両側部分を折り目１４に沿ってそれぞれ山折りし、水平に設けた切り込み４ａ，４ｂの間で、シート材２の中央に設けた切り込み３に直交するように付けた２つの折り目１６に沿って谷折りする。
【００５２】
そして、シート材２上で水平に設けた２つの切り込み４ａ，４ｂのうち上側の切り込み４ａに沿って山折りしてできた縁部１８ａと下側の切り込み４ｂに沿って山折りされてできた縁部１８ｂとを、図５に示すように互いに当接するように折り畳んでおく。この後、シート材２を、互いに当接させた縁部１８ａ，１８ｂが外側に見えるようにシート材２の縦中心線（例えば、折り目１１）に沿って横に折り畳む。
【００５３】
図６は、情報提示具形成シート１を上述の方法で折り畳んで作った展開式情報提示具２０を示す。
【００５４】
シート材２は、シート材２の外周縁部、即ちミシン目５より外側の部分には、予め接着剤を塗布しておいたため、上述のようにシート材２を縦中心線に沿って折り畳むことによって、ミシン目５より外側の部分が重なり合う位置１９ａ，１９ｂ，１９ｃで接着される。ここで、図において、上側の縁部を１９ａ、下側の縁部を１９ｂ、左側縁部を１９ｃとする。
【００５５】
第１実施例の展開式情報提示具２０は、所定の方法で折り畳まれて葉書と同じ大きさになり、図のように、一方の面に切手を貼って、宛名を記せば、ダイレクトメールとして郵送することができる。具体的には、シート材２上で情報Ａを表す部分がこの宛名を記す面に該当することから、シート材２に情報を印刷するときは、情報Ａとして宛名を印刷するようにしてもよい。
【００５６】
次に、第１実施例の展開式情報提示具２０の使用方法について説明する。
【００５７】
この展開式情報提示具２０を使用、即ち、シート材２に印刷した情報を見るときは、展開式情報提示具２０の外周縁部をミシン目５に沿って切り取り、展開式情報提示具２０の右側縁を中心にして折り返す。
【００５８】
図７は、展開式情報提示具２０を一度折り返した状態を示す。このように、第１実施例の展開式情報提示具２０を一度折り返すと、図６では情報Ａ（宛名）が表された面の裏側に位置していた情報Ｂが提示される。この情報Ｂの内容を見た後は、横中心線の位置、具体的には、情報Ａ，Ｂそれぞれの上側半分と下側半分との間から、展開式情報提示具２０を上下に開いて折り返し、情報Ａ，Ｂが表された面を裏返す。
【００５９】
図８は、上述のように、展開式情報提示具２０を横中心線の位置から上下に折り返すときの状態を示す。このように、情報Ａ，Ｂが表された面を情報提示具２０の裏側へ折り返すことにより、シート材２に印刷した別の情報（例えば、ＣとＤ）が提示される。
【００６０】
図９は、展開式情報提示具２０の情報Ａ，Ｂが表された面を裏返したことによって情報Ｃ，Ｄが新たに提示された状態を示す。この情報Ｃと情報Ｄは、ここでは異なる文字で表現したが、シート材２に情報を印刷するときに相互に関連した情報を印刷するのがよい。情報Ｃ，Ｄを見た後は、展開式情報提示具２０の縦中心線の位置、具体的には、シート材２の中央で縦に設けた切り込み３から左右に開いて折り返し、情報Ｃ，Ｄが表された面を裏返す。
【００６１】
図１０は、展開式情報提示具２０の情報Ｃ，Ｄが表された面を裏返すときの状態を示す図である。このように情報Ｃ，Ｄが表された面を裏返すときには、予めシート材２に折り目１２を付けておいたことで、無理にシート材２を折り曲げる必要はなく、自然に折り返すことができるようになっている。
【００６２】
図１１は、展開式情報提示具２０の情報Ｃ，Ｄが表された面を裏返したことによって、情報Ｅ，Ｆが新たに提示された状態を示す。ここで提示された情報Ｅと情報Ｆも、相互に関連した情報として印刷しておくのがよい。また、図の状態の展開式情報提示具２０において、中央に表された情報Ｅと情報Ｆは、印刷の際に上下を逆にして印刷した情報であり（図３）、展開式情報提示具２０を所定の方向に順次折り返すことにより、左右両側に表された情報と同じ向きで正しく提示される。この情報Ｅ，Ｆを見た後は、展開式情報提示具２０を中央から上下に開いて折り返し、展開式情報提示具２０の中央で情報Ｅ，Ｆが表された面を裏返す。
【００６３】
図１２は、展開式情報提示具２０の中央で情報Ｅ，Ｆが表された面を裏返すときの状態を示す。このように、展開式情報提示具２０の中央で情報Ｅ，Ｆが表された面を裏返すときには、予めシート材２に折り目１６を付けておいたことにより、その折り目１６に沿って用意に折り返すことができるようになっている。
【００６４】
図１３は、展開式情報提示具２０の中央で情報Ｅ，Ｆが表された面を裏返したことによって、情報Ｇ，Ｈが提示された状態を示す。ここで提示された情報Ｇ，Ｈも相互に関連したものにするのがよい。
【００６５】
上記実施例の展開式情報提示具２０は、上述のように所定の方法で折り畳むことにより、“葉書”として発送可能となる。また、情報提示具形成シート１を所定の方法で折り畳んで構成したことによって、上述のように通常の葉書が包含することができる情報量より格段に多くの情報量を包含することができる。さらに、展開式情報提示具２０は、所定の方向に順次折り返すことにより、シート材２に印刷した情報を順序立てて見せることができるとともに、７通りの異なった組み合わせを演出することもできる。これにより、この展開式情報提示具２０を手にした人は、所定の方向に順次折り返す作業自体に興味や面白みを持って情報を見ることができ、一般に、２〜３％程度と考えられるダイレクトメールの有効率（例えば、ダイレクトメールの売上への貢献度）を向上させることが期待できる。
【００６６】
以上、第１実施例の情報提示具形成シート１と、それから作られる展開式情報提示具２０を説明したが、以下、本発明の第２実施例について説明する。
【００６７】
図１４は、第２実施例の情報提示具形成シート３１を構成するシート材３２で、このシート材３２の所定の位置に切り込みとミシン目を設けた状態を示す。
【００６８】
具体的には、シート材３２は、第１実施例で使用したものと同じ大きさのものを使用し、第１実施例の情報提示具形成シート１と同様に、切り込み３３を中央で縦に設け、これの両端部でそれぞれ交わる２つの切り込み３４ａ，３４ｂを水平に設けた。縦に設けた切り込み３３の長さは、シート材３２の縦幅の半分（例えば、１０．５ｃｍ）である。これにより、水平に設けた２つの切り込み３４ａ，３４ｂは、シート材３２の上側と下側の縁部からそれぞれ内側にシート材３２の縦幅の１／４の位置にある。また、この水平に設けた２つの切り込み３４ａ，３４ｂの長さは、シート材３２の横幅の半分（例えば、１４．８５ｃｍ）である。
【００６９】
このシート材３２には、外周縁から所定の距離（例えば、１．０ｃｍ）内側の位置にミシン目３５を略全周に沿って設けた。具体的には、シート材３２の左側縁に設けたミシン目３５は、上下から中央部に向かって延ばし、所定の間隔（例えば、２．６２５ｃｍ）を空けてシート材３２の外側に向かって水平に設けた。また、第１実施例の情報提示具形成シート１と同様に、シート材３２の左右両縁部には、所定の間隔（例えば、１０．５ｃｍ間隔）で水平なミシン目３８ａ，３８ｂを上下に設けた。
【００７０】
第２実施例の情報提示具形成シート３１を構成するシート材３２についても、その両面に情報を印刷するが、ここでは第１実施例と同様に、印刷前にシート材３２の左右両縁部の所定の箇所をミシン目３５，３８ａ，３８ｂに沿って切り取っておく。具体的には、シート材３２の左右両側縁において、ミシン目３５と水平に設けた２つのミシン目３８ａ，３８ｂとで囲まれた部分を切り取る。
【００７１】
第２実施例の情報提示具形成シート３１を構成するシート材３２の情報を印刷した両面を、図１５と図１６に示す。この第２実施例においても、第１実施例と同様に、印刷した情報を文字（例えば、アルファベットＡ〜Ｈ）を用いて簡略に表わした。第２実施例の情報提示具形成シート３１が第１実施例と異なる点は、図１６に示したシート材３２の一方の面の左右部分に印刷した情報Ｇと情報Ｈのうち、中央部分（網掛表示した部分）には、情報Ｅと情報Ｆとも相互に関連する特徴的な情報を表した。この効果については、後述する。
【００７２】
第２実施例の情報提示具形成シート３１から展開式情報提示具を作るときにも、シート材３２の所定の位置に折り目を予め付けておくのがよい。具体的には、シート材３２の中央で縦に設けた切り込み３３の上下両側部分を当該切り込み３３に沿って山折りできるように折り目４１を付け、水平に設けた２つの切り込み３４ａ，３４ｂのうち上側の切り込み３４ａの両端部から上の部分と下側の切り込み３４ｂの両端部から下の部分とをそれぞれ前記折り目４１と平行な方向に沿って谷折りできるように折り目４２を付ける。
【００７３】
また、シート材３２に水平に設けた２つの切り込み３４ａ，３４ｂのそれぞれ左右両側部分を当該切り込み３４ａ，３４ｂに沿ってそれぞれ山折りできるように折り目４４を付けておく。さらに、水平に設けた２つの切り込み３４ａ，３４ｂのうち上側の切り込み３４ａから両切り込み３４ａ，３４ｂの間の間隔の１／４（例えば、２．６２５ｃｍ）の位置と下側の切り込み４ｂから当該間隔の１／４（例えば、２．６２５ｃｍ）の位置でそれぞれ谷折りできるように折り目４６を付けておく。
【００７４】
上記のように、シート材３２の所定の位置に折り目を付けた後、シート材３２の一方の面（例えば、図１６）において、シート材３２の外周縁に沿って設けたミシン目３５の外側の部分と、水平に設けた２つの切り込み３４ａ，３４ｂの左右両側に付けた折り目４４の上下に所定の範囲（例えば、上下に２．６２５ｃｍずつ）の部分とに接着剤を塗布しておく。この所定の範囲の部分は、第２実施例の展開式情報提示具を組み立てる上で、シート材３２を折り目４４に沿って折り曲げたときに剥離しないように接着する部分なので、ここには情報を印刷しないようにする。
【００７５】
上記のように、シート材３２の所定の位置に折り目を付けた後は、第１実施例と同様の方法でシート材３２を折り畳んで、第２実施例の展開式情報提示具を作る。第２実施例の展開式情報提示具の折り返し方法は、第１実施例の展開式情報提示具２０と同じである。
【００７６】
次に、第２実施例の展開式情報提示具が第１実施例と異なる点について説明する。
【００７７】
図１７は、第２実施例の展開式情報提示具５０を所定の方法で折り返し、情報Ｅと情報Ｆが提示された状態を示す。このように情報Ｅと情報Ｆが提示された状態では、展開式情報提示具５０の中央部分に形成された横長の隙間から、情報Ｇと情報Ｈが見えるようになっている。この隙間から見える情報Ｇと情報Ｈは、印刷時に特徴的な情報として表示した部分（図１６の網掛表示部分）であり、情報Ｅと情報Ｆとに関連付けた内容のものである。
【００７８】
図１８は、展開式情報提示具５０の情報Ｇと情報Ｈが提示された状態を示す。情報Ｇ，Ｈに含まれる特長的な情報は、図１７の状態で中央部の隙間から見えただけでなく、ここでも提示されることになる。第２実施例の展開式情報提示具５０では、シート材３２に設けた切り込みや折り目の位置を第１実施例のものから少しずらしたことにより、図１６，図１７に示すように、特徴的な情報として表した部分（図１６の網掛表示部分）との組み合わせにより、第１実施例とは異なる面白みのある情報の組み合わせを演出することができる。また、第２実施例の展開式情報提示具５０も、上述のように所定の方法で折り返すことにより、７通りの異なった情報の組み合わせを演出可能となっている。以上より、この展開式情報提示具５０も、従来のダイレクトメールよりも格段に効果（例えば、販促効果）のある情報伝達を行うことができる。
【００７９】
以上、本発明の第１実施例及び第２実施例について説明したが、本発明はこれに限られない。具体的には、上記の実施例では、シート材２，３２の所定の位置に切り込み３，４ａ，４ｂ，３３，４４ａ，４４ｂを設けているが、情報提示具形成シートの材料となるシート材には、これらの切り込みを設けなくてもよい。以下、本発明の第３実施例として、シート材に切り込みを設けない態様について説明する。
【００８０】
第３実施例の情報提示具形成シート６１を構成するシート材６２の情報を印刷した両面を、図１９と図２０に示す。この第３実施例においても、印刷した情報を文字（例えば、アルファベットＡ〜Ｆ）を用いて簡略に表す。シート材６２の一方の面（例えば、図１９に示す面）に表した情報Ａとしては、上記の第１，第２実施例と同様に宛名を表すのがよい。また、このシート材６２についても、上記の第１，第２実施例と同様に、左右両縁部の所定の箇所を切り取っておくのがよい。具体的には、第２実施例のシート材３２（図１４〜図１６）の左右両側縁において、ミシン目３５と水平に設けた２つのミシン目３８ａ，３８ｂとで囲まれた部分と同じ部分をこのシート材６２から切り取っておく。
【００８１】
第３実施例の情報提示具形成シート６１を構成するシート材６２は、その短辺６３が葉書の短辺の２倍の長さ（例えば、２１ｃｍ）で、その長辺６４が葉書の長辺の２倍の長さ（例えば、２９．７ｃｍ）あり、外周縁に沿ってミシン目６５が設けられている。ここで、このシート材６２の構成を説明する上で、以下、図１９に示す面をシート材６２の表側の面、図２０の面を裏側の面とする。このシート材６２は、表側の面から見ると、その短辺６３の中心同士を結ぶ中心線６６の両側で、該中心線６６から所定間隔（例えば、短辺６３の１／８の長さ）離れた位置に該中心線６６と平行な谷折り線６７ａ，６７ｂと、該中心線６６から所定間隔（例えば、短辺６３の１／４の長さ）離れた位置に山折り線６８ａ，６８ｂとを有している。また、図１９，２０において、シート材６２の所定の位置に設けられた中心線６６、谷折り線６７ａ，６７ｂ、及び山折り線６８ａ，６８ｂは、シート材６１の表面に実際に描かれる線ではなく、情報提示具形成シート６１を所定の方向に折り込む（例えば、谷折り又は山折りする）ための基準となる位置を図面上で確認的に示した仮想の線である。
【００８２】
この情報提示具形成シート６１の折り畳み方は、上記の第１，第２実施例と同様であるが、折り畳む前に、シート材６２の両長辺６４の中心同士を結ぶ中心線７０に沿って所定の方向の折り目を付けておくのがよい。具体的には、シート材６２の表側の面を見た場合、該中心線７０に沿って、シート材６２の両長辺６４からそれぞれ最寄りの山折り線６８ａ，６８ｂまでの間の部分、及び両谷折り線６７ａ，６７ｂの間の部分を谷折りし、隣接して位置する谷折り線６７ａと山折り線６８ａ、及び谷折り線６７ｂと山折り線６８ｂの間の部分を山折りしておく。さらに、図２０に示すように、シート材６２の裏側の面の外周縁部には、ミシン目６５の外側部分に接着剤を塗布しておく。
【００８３】
次に、第３実施例の情報提示具形成シート６１を所定の方法で折り畳んでいくときの状態を図２１に示す。この情報提示具形成シート６１の折り畳み方は、上記の第１，第２実施例の場合と同様で、まず、シート材６２に設けられた谷折り線６７ａ，６７ｂと山折り線６８ａ，６８ｂに沿って折り込む。この情報提示具形成シート６１を折り畳む際には、シート材６２の両長辺６４の中心同士を結ぶ中心線７０に沿って所定の方向の折り目を予め付けてあるので、無理なくスムーズに折り畳むことができるようになっている。
【００８４】
図２２は、情報提示具形成シート６１を所定の位置で折り畳むことにより、シート材６２の山折り線６８ａ，６８ｂに沿って折り畳まれてできた縁部７２ａ，７２ｂ同士が互いに当接するときの状態を示す。この情報提示具形成シート６１は、情報提示具形成シート６１を所定の位置で折り畳むことで、図に示すように、シート材６２の短辺６３の長さより小さい幅（例えば、１０．５ｃｍ）の折り重ねシート７４を形成する。
【００８５】
図２３は、上記の折り重ねシート７４をその長辺の中央位置で、図２２の矢印の方向に二つ折りすることにより、所定の大きさ（例えば、葉書と同じ大きさ）の展開式情報提示具８０を形成された状態を示す。このとき、シート材６２の外周縁部は、予め塗布しておいた接着剤により、ミシン目６５の外側の部分が重なり合う位置８１ａ，８１ｂ，８１ｃで接着される。ここで、図において、上側の縁部を８１ａ、下側の縁部を８１ｂ、左側縁部を８１ｃとする。第３実施例の展開式情報提示具８０も、情報提示具形成シート６１を所定の位置で折り畳むことで葉書として投函可能なため、図に示すように、一方の面に宛名を表しておくのがよい。具体的には、図１９に示すシート材６２の情報Ａの部分を宛名として印刷することができる。
【００８６】
次に、この展開式情報提示具８０の使用方法を説明する。この展開式情報提示具８０を使用、即ち、シート材６２に印刷した情報を見るときは、展開式情報提示具８０の外周縁部をミシン目６５に沿って切り取り、展開式情報提示具８０の右側縁を中心にして折り返す。
【００８７】
図２４は、展開式情報提示具８０を一度折り返した状態を示す。このように、展開式情報提示具８０を一度折り返すと、図２３の情報Ａ（宛名）が表された面の裏側に位置していた情報Ｂが提示される。この情報Ｂの内容を見た後は、横中心線の位置、具体的には、情報Ａ，Ｂそれぞれの上側半分と下側半分との間から、展開式情報提示具８０を上下に開いて折り返し、情報Ａ，Ｂが表された面を裏返す。
【００８８】
図２５は、上述のように、展開式情報提示具８０を横中心線の位置から上下に折り返すときの状態を示す。このように、情報Ａ，Ｂが表された面を情報提示具８０の裏側へ折り返すことにより、シート材６２に印刷した別の情報（例えば、ＣとＤ）が提示される。
【００８９】
図２６は、展開式情報提示具８０の情報Ａ，Ｂが表された面を裏返したことによって情報Ｃ，Ｄが新たに提示された状態を示す。この情報Ｃと情報Ｄは、ここでは異なる文字で表現したが、シート材６２に情報を印刷するときに相互に関連した情報を印刷するのがよい。情報Ｃ，Ｄを見た後は、展開式情報提示具８０を完全に広げて裏返し、シート材６２の裏側の面に印刷した情報（例えば、Ｅ，Ｆ）を見ることができる。展開式情報提示具８０を完全に広げて裏返した状態は、具体的には、図２０に示すシート材６２の裏側の面全体が提示された状態である。
【００９０】
以上、実施例の情報提示具形成シート１，３１，６１と、それから作られる展開式情報提示具２０，５０，８０について説明したが、本発明はこれに限られない。例えば、実施例では、シート材２，３２，６２の外周縁に沿ってミシン目５，３５，６５を設けているが、これに代えて索状の溝を設けるなど、人が用意に切り取ることができる適宜の構成を採用することができる。
【００９１】
また、実施例では、シート材２，３２，６２として上質紙を採用したが、コート紙、アート紙、含浸紙（耐水紙）無塵紙、感熱紙、ポリエステルフィルム紙、ポリスチレンフィルム紙、合成紙、又はポリイミド紙等、印刷の種類などに合わせて適宜の印刷紙を用いることができる。また、厚紙や樹脂等の自由に折り曲げることができる材料を用いることも可能である。
【００９２】
また、実施例では、展開式情報提示具で提示する情報をシート材２，３２，６２に印刷したが、例えば、手描きでもよいし、又は貼り絵などを施してもよく、人が視認できる情報であれば任意の方法により情報を表すことができる。
【００９３】
また、実施例では、情報提示具形成シート１，３１，６１を所定の方法で折り畳んで展開式情報提示具を作るときは、ミシン目５，３５，６５より外側部分の重なり合う位置１９ａ，１９ｂ，１９ｃ，８１ａ，８１ｂ，８１ｃで接着したが、例えば、重なり合う部分を剥離可能に圧着してもよい。この場合、上記接着した位置と同じように展開式情報提示具２０，５０，８０の外周縁部のみを圧着してもよいし、全面的に圧着してもよく、展開式情報提示具２０，５０，８０を受け取った人が容易にこれを開くことができるものであれば、任意の接合方法を採用することができる。
【図面の簡単な説明】
【００９４】
【図１】第１実施例の情報提示具形成シートを構成するシート材に切り込みとミシン目を設けた状態を示す図。
【図２】第１実施例の情報提示具形成シートの一方の面を示す図。
【図３】第１実施例の情報提示具形成シートの他方の面を示す図。
【図４】シート材の所定の位置に付けた折り目に沿って情報提示具形成シートを折り畳むときの状態を示す図。
【図５】シート材の所定の位置に付けた折り目に沿って情報提示具形成シートを折り畳んだ状態を示す図。
【図６】第１実施例の展開式情報提示具を示す図。
【図７】展開式情報提示具を折り返して情報Ｂが提示された状態を示す図。
【図８】展開式情報提示具を横中心線の位置から上下に開いて情報Ａ（宛名）と情報Ｂが印刷された面を裏返すときの状態を示す図。
【図９】情報Ａ（宛名）と情報Ｂの面を裏返すことによって情報Ｃ，Ｄが提示された状態を示す図。
【図１０】展開式情報提示具を縦中心線の位置から左右に開いて情報Ｃ，Ｄが印刷された面を裏返すときの状態を示す図。
【図１１】情報Ｃ，Ｄの面を裏返すことによって情報Ｅ，Ｆが提示された状態を示す図。
【図１２】展開式情報提示具を中央から上下に開いて情報Ｅ，Ｆが印刷された面を裏返すときの状態を示す図。
【図１３】情報Ｅ，Ｆの面を裏返すことによって情報Ｇ，Ｈが提示された状態を示す図。
【図１４】第２実施例の情報提示具形成シートを構成するシート材に切り込みとミシン目を設けた状態を示す図。
【図１５】第２実施例の情報提示具形成シートの一方の面を示す図。
【図１６】第２実施例の情報提示具形成シートの他方の面を示す図。
【図１７】第２実施例の展開式情報提示具の情報Ｅ，Ｆが提示されたときの状態を示す図。
【図１８】展開式情報提示具の情報Ｇ，Ｈが提示されたときの状態を示す図。
【図１９】第３実施例の情報提示具形成シートの一方の面を示す図。
【図２０】第３実施例の情報提示具形成シートの他方の面を示す図。
【図２１】シート材の所定の位置に付けた折り目に沿って情報提示具形成シートを折り畳むときの状態を示す図。
【図２２】シート材の所定の位置に付けた折り目に沿って情報提示具形成シートを折り畳んだ状態を示す図。
【図２３】第３実施例の展開式情報提示具を示す図。
【図２４】展開式情報提示具を折り返して情報Ｂが提示された状態を示す図。
【図２５】展開式情報提示具を横中心線の位置から上下に開いて情報Ａ（宛名）と情報Ｂが印刷された面を裏返すときの状態を示す図。
【図２６】情報Ａ（宛名）と情報Ｂの面を裏返すことによって情報Ｃ，Ｄが提示された状態を示す図。
【符号の説明】
【００９５】
１，３１，６１…情報提示具形成シート、２，３２，６２…シート材、３，４ａ，４ｂ，３３，３４ａ，３４ｂ…切り込み、５，８ａ，８ｂ，３５，３８ａ，３８ｂ，６５…ミシン目、７ａ，７ｂ…中央部分、１１，１２，１４，１６，４１，４２，４４，４６…折り目、１８ａ，１８ｂ，７２ａ，７２ｂ…縁部、１９ａ，１９ｂ，１９ｃ，８１ａ，８１ｂ，８１ｃ…重なり合う位置、２０，５０，８０…展開式情報提示具、６３…短辺、６４…長辺、６６，７０…中心線、６７ａ，６７ｂ…谷折り線、６８ａ，６８ｂ…山折り線、７４…折り重ねシート。
【図１】
2005138444.tif 000003
【図２】
2005138444.tif 000004
【図３】
2005138444.tif 000005
【図４】
2005138444.tif 000006
【図５】
2005138444.tif 000007
【図６】
2005138444.tif 000008
【図７】
2005138444.tif 000009
【図８】
2005138444.tif 000010
【図９】
2005138444.tif 000011
【図１０】
2005138444.tif 000012
【図１１】
2005138444.tif 000013
【図１２】
2005138444.tif 000014
【図１３】
2005138444.tif 000015
【図１４】
2005138444.tif 000016
【図１５】
2005138444.tif 000017
【図１６】
2005138444.tif 000018
【図１７】
2005138444.tif 000019
【図１８】
2005138444.tif 000020
【図１９】
2005138444.tif 000021
【図２０】
2005138444.tif 000022
【図２１】
2005138444.tif 000023
【図２２】
2005138444.tif 000024
【図２３】
2005138444.tif 000025
【図２４】
2005138444.tif 000026
【図２５】
2005138444.tif 000027
【図２６】
2005138444.tif 000028